(57)【要約】【課題】返血行程において、患者の体内に気泡が流入する可能性を低減する。【解決手段】筒状のチャンバ本体１０の一端に患者の動脈側の血液回路に接続される第１ポート２１が、他端に血液透析器側の血液回路に接続される第２ポート２２が、それぞれ設けられている。第１導管４１が第１ポートと連通し、チャンバ本体内の空間内に延びている。第２導管４２が第２ポートと連通し、チャンバ本体内の空間内に延びている。チャンバ本体の長手方向において、第１導管の先端を含む一部と第２導管の先端を含む一部とが互いに重複している。【選択図】図２
2008307265.tif 000002
【特許請求の範囲】
【請求項１】
血液透析装置の動脈側血液回路に用いられる動脈チャンバであって、
筒状のチャンバ本体と、
前記チャンバ本体の一端に設けられ、患者の動脈側の血液回路に接続される第１ポートと、
前記チャンバ本体の他端に設けられ、血液透析器側の血液回路に接続される第２ポートと、
前記第１ポートと連通し、前記チャンバ本体内の空間内に延びる第１導管と、
前記第２ポートと連通し、前記チャンバ本体内の空間内に延びる第２導管と
を備え、
前記チャンバ本体の長手方向において、前記第１導管の先端を含む一部と前記第２導管の先端を含む一部とが互いに重複していることを特徴とする動脈チャンバ。
【請求項２】
前記チャンバ本体の長手方向において、前記第１導管の長さは前記第２導管の長さより長い請求項１に記載の動脈チャンバ。
【請求項３】
前記チャンバ本体の長手方向において、前記第１導管の長さは、前記チャンバ本体の内寸法の半分より長い請求項１に記載の動脈チャンバ。
【請求項４】
前記チャンバ本体の長手方向において、前記第２導管の長さは、前記チャンバ本体の内寸法の半分より短い請求項１に記載の動脈チャンバ。
【請求項５】
前記チャンバ本体の長手方向において、前記チャンバ本体の内寸法をＬ０、前記第１導管と前記第２導管との重複部分の長さをＬ１２としたとき、０．１≦Ｌ１２／Ｌ０≦０．３を満足する請求項１に記載の動脈チャンバ。
【請求項６】
前記チャンバ本体の長手方向において、前記第１導管と前記第２導管との重複部分の長さが１０ｍｍ以上２５ｍｍ以下である請求項１に記載の動脈チャンバ。
【請求項７】
前記チャンバ本体の、その長手方向における内寸法Ｌ０が８０ｍｍ以上９０ｍｍ以下である請求項１に記載の動脈チャンバ。
【請求項８】
前記チャンバ本体の長手方向において、前記チャンバ本体の内寸法をＬ０、前記第１導管の長さをＬ１としたとき、０．６≦Ｌ１／Ｌ０≦０．８５を満足する請求項１に記載の動脈チャンバ。
【請求項９】
前記チャンバ本体の長手方向において、前記チャンバ本体の内寸法をＬ０、前記第２導管の長さをＬ２としたとき、０．２７≦Ｌ２／Ｌ０≦０．４４を満足する請求項１に記載の動脈チャンバ。
【発明の詳細な説明】
【技術分野】
【０００１】
本発明は、血液透析装置の動脈側血液回路に用いられる動脈チャンバに関する。
【背景技術】
【０００２】
血液透析装置は、腎不全患者や薬物中毒患者の血液を浄化するための医療用機器であり、通常、血液透析器（ダイアライザー）、血液回路、及び透析液供給系の３つの部分から構成される。
【０００３】
血液透析器は、並列に接続された多数の中空糸と、これらの多数の中空糸を内包する外筒とを備える。これにより、血液透析器内には、多数の中空糸内腔側のコンパートメント（以下、内側コンパートメントという）と、外筒の内側であって多数の中空糸の外側のコンパートメント（以下、外側コンパートメントという）とが形成される。
【０００４】
血液回路は、動脈側血液回路及び静脈側血液回路から構成される。動脈側血液回路の一端は患者の動脈に接続され、他端は血液透析器の内側コンパートメントの一端に接続される。静脈側血液回路の一端は患者の静脈に接続され、他端は血液透析器の内側コンパートメントの他端に接続される。
【０００５】
透析液供給系は、血液透析器の外側コンパートメントの一端に接続されて、外側コンパートメント内に透析液を供給する透析液供給ラインと、血液透析器の外側コンパートメントの他端に接続されて、外側コンパートメント内の透析液を排液する透析液排液ラインとからなる。
【０００６】
血液透析行程では、患者の動脈からの血液は、動脈側血液回路、血液透析器の内側コンパートメント、静脈側血液回路を順に通り、患者の静脈に戻る。このとき、血液透析器の外側コンパートメント内には、血液が流れる向きと反対の向きに透析液（電解質液）が流れる。このように、内側コンパートメントと外側コンパートメントとを隔てる透析膜と呼ばれる分離膜の両側を血液と透析液とが反対方向に流れる間に、分離膜の両側の濃度勾配に応じた物質の拡散移動が発生し、血液に対して尿毒素や中毒物質の除去や不足物質の補充が行われる。
【０００７】
実際の血液透析では、血液回路及び血液透析器の流路を透析液で洗浄し清浄化するプライミング行程、動脈側血液回路及び静脈側血液回路を患者に接続し、血液回路及び血液透析器の流路中の透析液を患者の血液で置換する脱血行程、上記の血液透析行程、血液回路及び血液透析器の流路中の血液を患者に戻す返血行程が、この順に行われる。
【０００８】
この血液透析の一連の行程の移行を自動化して医療業務の効率化と省力化とを図るために、自動血液透析装置が提案されている（例えば特許文献１参照）。この自動血液透析装置では、血液は、動脈側血液回路内を、脱血行程及び血液透析行程では患者から血液透析器に向かって流れるのに対して、返血行程では血液透析器から患者に向かって流れる。即ち、動脈側血液回路内を血液が流れる向きが、脱血行程及び血液透析行程と返血行程とで逆転する。
【０００９】
図３は、動脈側血液回路に用いられる従来の動脈チャンバ１００の概略構成を示した断面図である。動脈チャンバ１００は、透明材料からなるチャンバ本体１１０を備える。チャンバ本体１１０は、筒状部１１１と、筒状部１１１の上端に融着されたキャップ部１１５とからなる。キャップ部１１５の上面には第１ポート１２１がチャンバ本体１１０の外側に向かって立設されており、キャップ部１１５の下面には第１ポート１２１と連通する接続配管１１７がチャンバ本体１１０の内側に向かって立設されている。第１チューブ１３１が、接続配管１１７に接続され、チャンバ本体１１０内に延びている。接続配管１１７及び第１チューブ１３１が第１導管１４１を構成する。筒状部１１１の下端は、第２チューブ１３２が筒状部１１１内に挿入された状態で一対の融着部１１２で封着されており、この結果、筒状部１１１と第２チューブ１３２とが一体化されている。第２チューブ１３２のチャンバ本体１１０から外側に露出した部分が第２ポート１２２を構成し、第２チューブ１３２のチャンバ本体１１０内に延びた部分が第２導管１４２を構成する。
【００１０】
動脈チャンバ１００は、図３に示したように、第１ポート１２１を上側、第２ポート１２２を下側にして配置される。第１ポート１２１は図示しないチューブを介して患者の動脈に接続され、第２ポート１２２は図示しないチューブを介して血液透析器の内側コンパートメントの一端に接続される。第１ポート１２１と患者との間には血液ポンプが設けられる場合がある。図３において、二点鎖線１１９は血液面レベルである。適正な血液面レベル１１９の位置は後述する。
【００１１】
この動脈チャンバ１００を自動血液透析装置の動脈側血液回路に用いた場合、脱血行程及び血液透析行程では、患者の動脈からの血液は、第１ポート１２１及び第１導管１４１を順に通って第１導管１４１の下端の開口からチャンバ本体１１０内に流入し、チャンバ本体１１０内に一時的に貯留した後、第２導管１４２の上端の開口から第２導管１４２及び第２ポート１２２を順に通って血液透析器の内側コンパートメントへ流れる。脱血行程及び血液透析行程では、血液面レベル１１９は第２導管１４２の上端よりも上側に位置するように調整される。これにより、第２導管１４２の上端の開口が血液面レベル１１９よりも下側に位置するので、脱血行程及び血液透析行程において、動脈チャンバ１００内に仮に血液中に気泡が発生しても、その気泡が第２導管１４２を通って血液透析器へ流れるのを防止できる。
【００１２】
一方、返血行程では血液は上記と逆に流れる。即ち、血液は、血液透析器から、第２ポート１２２及び第２導管１４２を順に通って第２導管１４２の上端の開口からチャンバ本体１１０内に流入し、第１導管１４１の下端の開口から第１導管１４１及び第１ポート１２１を順に通って患者の動脈に戻る。
【特許文献１】特開２００２−３２５８３７号公報
【発明の開示】
【発明が解決しようとする課題】
【００１３】
動脈チャンバ１００を自動血液透析装置の動脈側血液回路に用いた場合、以下の問題がある。
【００１４】
即ち、返血行程において、血液の流量（又は流速）によっては、動脈チャンバ１００内に気泡が発生し、その気泡が第１導管１４１及び第１ポート１２１を順に通って患者の体内に流入する可能性がある。
【００１５】
患者の体内に気泡が流入するのを防止するためには、気泡を第１導管１４１内に流入させないことが必要であり、このためには、動脈チャンバ１００内の血液面レベル１１９が第１導管１４１の下端の開口よりも常に上側に位置するように血液面レベル１１９を維持する必要がある。しかしながら、第１導管１４１の下端よりも上側に血液面レベル１１９を設定すると、動脈チャンバ１００内の貯血量が増大するので、返血行程において動脈チャンバ１００内の全ての血液を生理食塩水で置換して血液を患者に返すのに時間がかかる。また、第１導管１４１の長さ（即ち、チャンバ本体１１０の内壁の上端と第１導管１４１の下端との距離）Ｌ１が比較的短いので、血液面レベル１１９の変動許容範囲が狭く、返血行程時に第１導管１４１の下端が常に血液中に浸漬されるように血液面レベル１１９を維持するためには、血液面レベル１１９を常時監視する必要がある。
【００１６】
また、血液面レベル１１９が第１導管１４１の下端よりも常に上側に位置するように維持したとしても、第２導管１４２から流出した気泡が、上方に向かって移動する途中で第１導管１４１内に流入する可能性がある。これを防止するためには、気泡を発生させないことが必要で、そのためには、動脈チャンバ１００内の気泡の発生状況を常時監視し、必要に応じて血液の流量（又は流速）を調整しなければならない。これには、大がかりな装置や人手が必要であり、採用は困難である。
【００１７】
本発明は、上記の従来の問題を解決し、返血行程において、患者の体内に気泡が流入する可能性が低減された動脈チャンバ提供することを目的とする。
【課題を解決するための手段】
【００１８】
本発明の動脈チャンバは、血液透析装置の動脈側血液回路に用いられる動脈チャンバであって、筒状のチャンバ本体と、前記チャンバ本体の一端に設けられ、患者の動脈側の血液回路に接続される第１ポートと、前記チャンバ本体の他端に設けられ、血液透析器側の血液回路に接続される第２ポートと、前記第１ポートと連通し、前記チャンバ本体内の空間内に延びる第１導管と、前記第２ポートと連通し、前記チャンバ本体内の空間内に延びる第２導管とを備える。前記チャンバ本体の長手方向において、前記第１導管の先端を含む一部と前記第２導管の先端を含む一部とが互いに重複していることを特徴とする。
【発明の効果】
【００１９】
本発明によれば、返血行程において、気泡が第１導管を通り患者の体内に流入する可能性を低減することができる。従って、動脈チャンバ内の気泡の発生状況を常時監視したり、血液の流量（又は流速）を調整したりする必要がない。
【発明を実施するための最良の形態】
【００２０】
図１は、本発明の一実施形態に係る動脈チャンバ１の概略構成を示した斜視図である。動脈チャンバ１は、透明材料からなるチャンバ本体１０を備える。チャンバ本体１０は、筒状部１１と、筒状部１１の上端に融着されたキャップ部１５とからなる。キャップ部１５の上面には第１ポート２１がチャンバ本体１０の外側に向かって立設されており、キャップ部１５の下面には第１ポート２１と連通する接続配管１７がチャンバ本体１０の内側に向かって立設されている。第１チューブ３１が、接続配管１７に接続され、チャンバ本体１０内に延びている。接続配管１７及び第１チューブ３１が第１導管４１を構成する。キャップ部１５の上面には、更に、チャンバ本体１０内の空間と連通する第１サービスポート５１、第２サービスポート５２がチャンバ本体１０の外側に向かって立設されている。筒状部１１の下端は、第２チューブ３２が筒状部１１内に挿入された状態で一対の融着部１２で封着されており、この結果、筒状部１１と第２チューブ３２とが一体化されている。第２チューブ３２のチャンバ本体１０から外側に露出した部分が第２ポート２２を構成し、第２チューブ３２のチャンバ本体１０内に延びた部分が第２導管４２を構成する。
【００２１】
図２は、動脈チャンバ１の概略構成を示した断面図である。図面を簡単化するために、キャップ部１５に設けられた第１及び第２サービスポート５１，５２の図示を省略している。
【００２２】
動脈チャンバ１は、図２に示したように、第１ポート２１を上側、第２ポート２２を下側にして配置される。第１ポート２１は図示しないチューブ（動脈側の血液回路）を介して患者の動脈に接続され、第２ポート２２は図示しないチューブ（血液透析器側の血液回路）を介して血液透析器の内側コンパートメントの一端に接続される。第１ポート２１と患者との間には血液ポンプが設けられる場合がある。以下の説明において、第１ポート２１側（図２の紙面の上側）を上側、第２ポート２２側（図２の紙面の下側）を下側と呼ぶことにする。図２において、二点鎖線１９は血液面レベルである。適正な血液面レベル１９の位置は後述する。
【００２３】
本実施形態の動脈チャンバ１は、従来の動脈チャンバ１００と異なり、チャンバ本体１０の長手方向（図２の紙面の上下方向）において、第１導管４１の先端を含む一部と第２導管４２の先端を含む一部とが互いに重複している。即ち、第１導管４１の下端は、第２導管４２の上端よりも下側に位置している。
【００２４】
この動脈チャンバ１を自動血液透析装置の動脈側血液回路に用いた場合の作用を説明する。
【００２５】
脱血行程及び血液透析行程では、患者の動脈からの血液は、第１ポート２１及び第１導管４１を順に通って第１導管４１の下端の開口からチャンバ本体１０内に流入し、チャンバ本体１０内に一時的に貯留した後、第２導管４２の上端の開口から第２導管４２及び第２ポート２２を順に通って血液透析器の内側コンパートメントへ流れる。脱血行程及び血液透析行程では、従来の動脈チャンバ１００と同様に、血液面レベル１９は第２導管４２の上端よりも上側に位置するように調整される。これにより、第２導管４２の上端の開口が血液面レベル１９よりも下側に位置するので、脱血行程及び血液透析行程において、動脈チャンバ１内に仮に血液中に気泡が発生しても、その気泡が第２導管４２を通って血液透析器へ流れるのを防止できる。
【００２６】
一方、返血行程では血液は上記と逆に流れる。即ち、血液は、血液透析器から、第２ポート２２及び第２導管４２を順に通って第２導管４２の上端の開口からチャンバ本体１０内に流入し、第１導管４１の下端の開口から第１導管４１及び第１ポート２１を順に通って患者の動脈に戻る。
【００２７】
このとき、動脈チャンバ１内の血液面レベル１９は第１導管４１の下端よりも常に上側に位置するように維持される。従来の動脈チャンバ１００と異なり、第１導管４１の長さ（即ち、チャンバ本体１０の内壁の上端と第１導管４１の下端との距離）Ｌ１が比較的長いので、血液面レベル１９の変動許容範囲が広く、返血行程時に第１導管４１の下端が常に血液中に浸漬されるように血液面レベル１９を維持するのは容易である。
【００２８】
また、仮に第２導管４２から気泡が流出したとしても、第１導管４１の下端は第２導管４２の上端よりも下側に位置しているので、この気泡が第１導管４１内に流入することはない。
【００２９】
以上により、本発明の動脈チャンバ１によれば、第１導管４１の先端を含む一部の上下方向位置と第２導管４２の先端を含む一部の上下方向位置とを互いに重複させるという極めて簡単な構成により、動脈チャンバ１を自動血液透析装置の動脈側血液回路に用いた場合、返血行程において、患者の体内に気泡が流入する可能性を低減することができる。従って、返血行程において、従来のように、動脈チャンバ内の気泡の発生状況を常時監視したり、血液の流量（又は流速）を調整したりする必要がない。
【００３０】
本発明において、動脈チャンバ１を構成する各部材の材料は特に制限はなく、例えば従来の動脈チャンバ１００において使用されていた材料の中から適宜選択して使用することができる。
【００３１】
チャンバ本体１０は、内部の血液を視認できるように透明であることが好ましい。筒状部１１及びキャップ部１５の材料としては、例えば軟質化ポリ塩化ビニル樹脂を用いることができる。筒状部１１の内径は、特に制限はないが、１４ｍｍ以上２１ｍｍ以下が好ましい。また、チャンバ本体１０の内容積は、特に制限はないが、１２×１０-6ｍ3以上２０×１０-6ｍ3以下が好ましい。
【００３２】
第１チューブ３１及び第２チューブ３２も、その内部を流れる血液を視認することができるように透明又は透光性を有していることが好ましい。第１チューブ３１及び第２チューブ３２の材料としては、軟質化ポリ塩化ビニル樹脂を用いることができる。第１チューブ３１及び第２チューブ３２の内径は、特に制限はないが、３．５ｍｍ以上６．０ｍｍ以下が好ましく、また、その外径は、特に制限はないが、４．５ｍｍ以上７．０ｍｍ以下が好ましい。
【００３３】
上記の動脈チャンバ１において、チャンバ本体１０の長手方向において、第１導管４１の長さＬ１は第２導管４２の長さ（即ち、チャンバ本体１０の内壁の下端と第２導管４２の上端との距離）Ｌ２より長い（Ｌ１＞Ｌ２）ことが好ましい。
【００３４】
上述したように、脱血行程及び血液透析行程では、血液面レベル１９は第２導管４２の上端よりも上側に位置するように調整される。Ｌ１＞Ｌ２を満足することにより、血液面レベル１９を下げることができるので、動脈チャンバ１内の貯血量を少なくすることができる。従って、動脈側血液回路の充填量を少なくすることができる。
【００３５】
また、返血行程では、血液面レベル１９は第１導管４１の下端よりも上側に位置するように調整される。Ｌ１＞Ｌ２を満足することにより、血液面レベル１９を下げることができるので、動脈チャンバ１内の貯血量が減少し、返血行程において動脈チャンバ１内の全ての血液を生理食塩水で置換して血液を患者に返すのに必要な時間を短くすることができる。また、第１導管４１の長さＬ１が長くなるので、血液面レベル１９の変動許容範囲が広くなり、返血行程時に第１導管１４１の下端が常に血液中に浸漬されるように血液面レベル１９を維持するのがより容易になる。
【００３６】
チャンバ本体１０の長手方向において、第１導管４１の長さＬ１は、チャンバ本体１０の内寸法（即ち、チャンバ本体１０の内壁の上端と下端との距離）Ｌ０の半分より長い（Ｌ１＞Ｌ０／２）ことが好ましい。これにより、第２導管４２の上端の位置を下げることができる。従って、脱血行程及び血液透析行程では、血液面レベル１９を下げることができるので、動脈チャンバ１内の貯血量を少なくすることができる。従って、動脈側血液回路の充填量を少なくすることができる。また、返血行程では、血液面レベル１９を下げることができるので、動脈チャンバ１内の貯血量が減少し、返血行程に要する時間を短くすることができる。また、第１導管４１の長さＬ１が長くなるので、血液面レベル１９の変動許容範囲が広くなり、返血行程時に第１導管４１の下端が常に血液中に浸漬されるように血液面レベル１９を維持するのがより容易になる。
【００３７】
チャンバ本体１０の長手方向において、第２導管４２の長さＬ２は、チャンバ本体１０の内寸法Ｌ０の半分より短い（Ｌ２＜Ｌ０／２）ことが好ましい。これにより、第１導管４１の下端の位置を下げることができる。従って、脱血行程及び血液透析行程では、血液面レベル１９を下げることができるので、動脈チャンバ１内の貯血量を少なくすることができる。従って、動脈側血液回路の充填量を少なくすることができる。また、返血行程では、血液面レベル１９を下げることができるので、動脈チャンバ１内の貯血量が減少し、返血行程に要する時間を短くすることができる。また、第１導管４１の長さＬ１を長くすることができ、この場合には、返血行程時に第１導管４１の下端が常に血液中に浸漬されるように血液面レベル１９を維持するのがより容易になる。
【００３８】
チャンバ本体１０の長手方向において、チャンバ本体１０の内寸法をＬ０、第１導管４１と第２導管４２との重複部分の長さをＬ１２としたとき、０．１≦Ｌ１２／Ｌ０≦０．３を満足することが好ましい。Ｌ１２／Ｌ０が上記の下限値より小さいと、返血行程において、気泡が第１導管４１内に流入する可能性が高くなる。Ｌ１２／Ｌ０が上記の上限値より大きいと、第２導管４２の上端の位置が高くなるので、脱血行程及び血液透析行程での動脈チャンバ１内の貯血量が多くなり、動脈側血液回路の充填量が増大する。また、第１導管４１の下端がチャンバ本体１０の下端に接近するので、返血行程においてチャンバ本体１０内の下部に滞留した血栓が患者に送られる可能性が高くなる。
【００３９】
チャンバ本体１０の長手方向において、第１導管４１と第２導管４２との重複部分の長さＬ１２が１０ｍｍ以上２５ｍｍ以下、更には１５ｍｍ以上２０ｍｍ以下であることが好ましい。重複部分の長さＬ１２が上記の下限値より小さいと、返血行程において、気泡が第１導管４１内に流入する可能性が高くなる。重複部分の長さＬ１２が上記の上限値より大きいと、第２導管４２の上端の位置が高くなるので、脱血行程及び血液透析行程での動脈チャンバ１内の貯血量が多くなり、動脈側血液回路の充填量が増大する。また、第１導管４１の下端がチャンバ本体１０の下端に接近するので、返血行程においてチャンバ本体１０内の下部に滞留した血栓が患者に送られる可能性が高くなる。
【００４０】
チャンバ本体１０の、その長手方向における内寸法Ｌ０が８０ｍｍ以上９０ｍｍ以下であることが好ましい。内寸法Ｌ０が上記の下限値より小さいと、脱血行程及び血液透析行程では気泡が第２導管４２を通って血液透析器へ流入する可能性が高くなり、返血行程では気泡が第１導管４１を順に通って患者の体内に流入する可能性が高くなる。内寸法Ｌ０が上記の上限値より大きいと、動脈チャンバ１内の貯血量が多くなる。従って、脱血行程及び血液透析行程では動脈側血液回路の充填量が増大し、返血行程では返血行程に要する時間が長くなる。
【００４１】
チャンバ本体１０の長手方向において、チャンバ本体１０の内寸法をＬ０、第１導管４１の長さをＬ１としたとき、０．６≦Ｌ１／Ｌ０≦０．８５を満足することが好ましい。Ｌ１／Ｌ０が上記の下限値より小さいと、第２導管４２の上端の位置を高くする必要があるので、脱血行程及び血液透析行程では、動脈チャンバ１内の貯血量が多くなり、動脈側血液回路の充填量が増大する。また、返血行程では、血液面レベル１９を高くする必要が生じ、動脈チャンバ１内の貯血量が増大し、返血行程に要する時間が長くなる。Ｌ１／Ｌ０が上記の上限値より大きいと、第１導管４１の下端がチャンバ本体１０の下端に接近するので、返血行程においてチャンバ本体１０内の下部に滞留した血栓が患者に送られる可能性が高くなる。
【００４２】
チャンバ本体１０の長手方向において、チャンバ本体１０の内寸法をＬ０、第２導管４２の長さをＬ２としたとき、０．２７≦Ｌ２／Ｌ０≦０．４４を満足することが好ましい。Ｌ２／Ｌ０が上記の下限値より小さいと、第１導管４１の下端をチャンバ本体１０の下端に接近させる必要が生じるので、返血行程においてチャンバ本体１０内の下部に滞留した血栓が患者に送られる可能性が高くなる。Ｌ２／Ｌ０が上記の上限値より大きいと、脱血行程及び血液透析行程において、動脈チャンバ１内の貯血量が多くなり、動脈側血液回路の充填量が増大する。
【００４３】
図１及び図２に示した動脈チャンバ１は一例に過ぎず、本発明はこれに限定されず、種々の変更が可能である。
【００４４】
例えば、上記の実施形態では、上端の第１ポート２１はキャップ部１５に形成されており、下端の第２ポート２２は筒状部１１の下端に融着された第２チューブ３２の露出した部分であったが、本発明はこれに限定されない。例えば、上端の第１ポート２１、第１及び第２サービスポート５１，５２を、下端の第２ポート２２と同様に、チューブを筒状部１１内に挿入した状態で融着し封止して筒状部１１とチューブとを一体化することにより形成しても良い。また、下端の第２ポート２２を、上端の第１ポート２１と同様に、第２ポート２２を形成したキャップ部を筒状部１１の下端に融着することにより形成しても良い。
【００４５】
第１ポート２１及び第１導管４１の構成は上記の実施形態に限定されない。例えば、キャップ部１５に形成された貫通孔にチューブを挿入して両者を融着し、このチューブのチャンバ本体１０から外側に露出した部分を第１ポート２１とし、チャンバ本体１０内に延びた部分を第１導管４１としても良い。第２ポート２２及び第２導管４２をこれと同様に構成しても良い。
【００４６】
キャップ部１５に形成された接続配管１７を下方に延ばすことで、第１チューブ３１を用いないで、第１導管４１を接続配管１７のみで構成しても良い。同様に、第２導管４２をこれと同様に構成しても良い。
【００４７】
キャップ部１５には２つのサービスポート５１，５２が形成されていたが、サービスポートの数はこれに限定されず、血液透析装置の構成等に応じて適宜変更することができ、１つ又は３つ以上であっても良い。あるいは、サービスポートがなくても良い。サービスポートには、例えば、血液中に薬剤など注入するためのチューブや、チャンバ本体１０内の圧力を測定するための圧力測定装置を接続することができる。
【００４８】
筒状部１１及びキャップ部１４の水平方向面に沿った断面形状は円形である必要はなく、楕円形、長円形、各種多角形等であっても良い。
【産業上の利用可能性】
【００４９】
本発明の動脈チャンバは、自動血液透析装置の動脈側血液回路に特に好ましく利用することができる。但し、その利用分野はこれに限定されず、一連の行程が自動化されていない周知の血液透析装置の動脈側血液回路に利用することももちろん可能である。
【図面の簡単な説明】
【００５０】
【図１】図１は、本発明の一実施形態に係る動脈チャンバの概略構成を示した斜視図である。
【図２】図２は、本発明の一実施形態に係る動脈チャンバの概略構成を示した断面図である。
【図３】図３は、動脈側血液回路に用いられる従来の動脈チャンバの概略構成を示した断面図である。
【符号の説明】
【００５１】
１  動脈チャンバ
１０  チャンバ本体
１１  筒状部
１２  融着部
１５  キャップ部
１７  接続配管
２１  第１ポート
２２  第２ポート
３１  第１チューブ
３２  第２チューブ
４１  第１導管
４２  第２導管
５１  第１サービスポート
５２  第２サービスポート
【図１】
2008307265.tif 000003
【図２】
2008307265.tif 000004
【図３】
2008307265.tif 000005